(57)【要約】【課題】残り湯がどのような状態であっても所望のお湯張りができる風呂装置を提供する。【解決手段】お湯張りおよび追い炊き機能を有するとともに残り湯演算機能を備えた風呂装置において、演算できない条件のときに、リモコンによって外部に報知するとともに、通常の残り湯演算とは別に演算したもしくは設定した湯量で自動的にお湯張りするようにした。【選択図】      図２
2004170031.tif 000002
【特許請求の範囲】
【請求項１】
お湯張り条件を設定して運転操作するリモコンと、設定されたお湯を浴槽に自動的にはる風呂自動運転機能と、浴槽に残り湯があると判定した場合にお湯はり開始前に任意の時間追いだき運転をし、残り湯の温度上昇値とその間の追いだき出力の値で残り湯量を演算し、設定されたお湯はり湯量から演算した残り湯量を引いた量をお湯はりする機能とを有する風呂装置において、残り湯の温度と設定温度から残り湯量を正確に演算できない条件の場合に、任意の一定量のお湯張りをし、正確に演算できなかったことをリモコンで知らせる機能を有することを特徴とする風呂装置。
【請求項２】
残り湯量を演算できなかったことを、リモコンのブザー音やランプの点滅を任意の時間継続することによって報知する機能を有することを特徴とする請求項１記載の風呂装置。
【請求項３】
残り湯量を演算できなかったことと対処の仕方を、リモコンの音声ガイダンスで知らせる機能を有することを特徴とする請求項１記載の風呂装置。
【請求項４】
残り湯の温度と設定温度から残り湯量を演算できない条件の場合に、残り湯の演算をせず、設定された湯量から任意の一定量の湯量を差し引いたお湯をはり、演算できなかったことをリモコンで知らせる機能を有することを特徴とする請求項１記載の風呂装置。
【請求項５】
残り湯の温度と設定温度から残り湯量を演算できない条件の場合に、残り湯の演算をせず、演算できなかったことをリモコンで報知すると共に、リモコンのスイッチ操作で残湯演算機能を無効にできる状態で一定時間待機し、スイッチ操作が一定時間ないと一定量のお湯はりをする機能を有することを特徴とする請求項１記載の風呂装置。
【請求項６】
残り湯の演算の有無を切り替えるスイッチを有することを特徴とする請求項１記載の風呂装置。
【請求項７】
残り湯の温度と設定温度から残り湯量を正確に演算できない条件の場合に、正確に演算できないことをリモコンで報知すると共に、リモコンのスイッチ操作で残湯演算を無効にできる状態で待機する機能を有することを特徴とする請求項１記載の風呂装置。
【発明の詳細な説明】
【０００１】
【発明の属する技術分野】
本発明は風呂装置、特に家庭用風呂装置に関するものである。
【０００２】
【従来の技術】
従来の風呂装置は、浴槽に設定した温度で所定量の湯をお湯張りする風呂自動機能を備え、浴槽に残湯水があり、この残湯水の温度が設定温度未満のときには、残湯水を風呂循環回路によって設定温度まで加熱し、設定温度に達するまでの加熱時間によって残湯量を算出して、この算出された残湯量と予め設定された所定量とを比較して両者の差に相当する量の湯水を落とし込み、所定量のお湯張りが行える機能を有していた（例えば、特許文献１参照。）。
【０００３】
従来の風呂装置におけるお湯張り動作の具体例について図３を参照して説明する。まず、リモコンでお湯張りの湯量Ａと湯温ｔを設定してリモコンのお湯張り開始スイッチを押すと、お湯張り動作を開始する（ステップＳ２１）。
【０００４】
次に、残り湯があるか否かを判定する（ステップＳ２２）。すなわち、風呂ポンプを駆動して風呂循環回路に湯水が循環するようにし、風呂水流センサーが検知すると残り湯があると判定し、一定時間経過しても風呂水流センサーが検知しないと残り湯がないと判定する。
【０００５】
次に、残り湯がないと判定すると、設定湯量Ａでお湯張りを行う（ステップＳ２３）。すなわち、制御装置によってお湯張り弁を開き、設定温度ｔになるように給湯バーナーの発熱量を調節し、検知水量と経過時間との積をカウントして累積湯量を検出し、累積湯量が設定湯量Ａになると、お湯張り弁を閉じ、お湯張りを停止する。
【０００６】
次に、設定温度まで沸き上げる（ステップＳ２４）。すなわち、風呂ポンプを駆動して浴槽のお湯を循環させて風呂温度センサーでお湯の温度を検知し、浴槽のお湯の温度が設定温度ｔに達していれば、次のステップＳ２５に移り、浴槽のお湯の温度が設定温度ｔ未満であれば設定温度ｔまで加熱する。
【０００７】
次に、設定温度ｔになると、ステップＳ２５でお湯張り完了の報知を行う。すなわち、風呂ポンプを停止し、リモコンの表示部およびブザー音でお湯張りが完了したことを報知する。
【０００８】
一方、ステップＳ２２で、残り湯があると判定した場合には、残り湯量の演算が可能か判定する（ステップＳ２６）。すなわち、残り湯の温度をｔ０とすると、（ｔ−ｔ０）がα（予め決められた任意の温度差）以上であれば、残湯量の演算が可能と判断し、残湯量検知運転（ステップＳ２７）に移行する。一方、（ｔ−ｔ０）がα未満であれば、固定湯量Ｃ（Ｃ＜Ａ）のお湯張りをし（ステップＳ３０）、以下、ステップＳ２５、Ｓ２６の動作を行ってお湯張りを完了する。
【０００９】
ステップＳ２７では、残湯量の検知運転を行う。すなわち、浴槽の残り湯を予め決められた出力Ｑで一定時間Ｔ０加熱し、温度上昇値Δｔを測定し、次のステップＳ２８で、それらの値に基づいて、下記式で残湯量Ｂを算出する。
【００１０】
Ｂ＝ｋ×Ｑ×Ｔ０／Δｔ（ｋは補正係数）
次に、設定湯量Ａと算出した残湯量Ｂの差に相当する湯量のお湯張りを行った後（ステップＳ２９）、以下、ステップＳ２５、Ｓ２６の動作を行ってお湯張りを完了する。
【００１１】
【特許文献１】
実開平３−２７５５７号公報
【００１２】
【発明が解決しようとする課題】
しかしながら、従来の風呂装置では、浴槽に残り湯があっても、その湯温ｔ０と設定温度ｔの差がα未満であれば、残り湯量の演算ができないため固定湯量Ｃ（Ｃ＜Ａ）のお湯張りをして完了していた。そのため、使用者は設定した量のお湯を張るために別の方法で足し湯をするか、一旦残り湯を排水してお湯はりをやり直す等の必要があり、不便であるという問題があった。
【００１３】
また、残り湯の条件が原因で設定した湯量のお湯張りができなったことを認識できないため、機器の故障と誤認してしまうという問題もあった。
【００１４】
本発明は、上記従来の問題点に鑑み、残り湯がどのような状態であっても所望のお湯張りができる風呂装置を提供することを目的とする。
【００１５】
【課題を解決するための手段】
本発明の風呂装置は、お湯張り条件を設定して運転操作するリモコンと、設定されたお湯を浴槽に自動的にはる風呂自動運転機能と、浴槽に残り湯があると判定した場合にお湯はり開始前に任意の時間追いだき運転をし、残り湯の温度上昇値とその間の追いだき出力の値で残り湯量を演算し、設定されたお湯はり湯量から演算した残り湯量を引いた量をお湯はりする機能とを有する風呂装置において、残り湯の温度と設定温度から残り湯量を正確に演算できない条件の場合に、任意の一定量のお湯張りをし、正確に演算できなかったことをリモコンで知らせる機能を有するものである。
【００１６】
この構成によれば、設定した量のお湯張りをするのに、残り湯があってもその量を演算してお湯はりを行うため、残り湯を一旦排水しなければならない等の不便がなく、かつ残り湯量を正確に演算できない場合には、ある程度の一定量のお湯はりを行うとともに、設定したお湯張り量ではないことが使用者に知らされるため、機器の故障との誤認を未然に防ぐとともに使用者が正しい処置を行うことができる。
【００１７】
また、残り湯量を演算できなかったことを、リモコンのブザー音やランプの点滅を任意の時間継続することによって報知する機能を有すると、使用者が設定湯量のお湯張りができないことを確実に知ることができる。
【００１８】
また、残り湯量を演算できなかったことと対処の仕方を、リモコンの音声ガイダンスで知らせる機能を有すると、使用者が設定湯量のお湯張りができないことをより正確に知ることができるとともに種々の対処ができる。
【００１９】
また、残り湯の温度と設定温度から残り湯量を演算できない条件の場合に、残り湯の演算をせず、設定された湯量から任意の一定量の湯量を差し引いたお湯をはり、演算できなかったことをリモコンで知らせる機能を有すると、残り湯の演算ができなくても、入浴可能な湯量のお湯張りができる。
【００２０】
また、残り湯の温度と設定温度から残り湯量を演算できない条件の場合に、残り湯の演算をせず、演算できなかったことをリモコンで報知すると共に、リモコンのスイッチ操作で残湯演算機能を無効にできる状態で一定時間待機し、スイッチ操作が一定時間ないと一定量のお湯はりをする機能を有すると、残り湯量の演算ができない場合に、万一使用者が気付かなくてもある程度の湯量でお湯はりすることができる。
【００２１】
また、残り湯の演算の有無を切り替えるスイッチを有すると、使用者が事前にお湯張りの仕方を選択することができる。
【００２２】
また、残り湯の温度と設定温度から残り湯量を正確に演算できない条件の場合に、正確に演算できないことをリモコンで報知すると共に、リモコンのスイッチ操作で残湯演算を無効にできる状態で待機する機能を有すると、残り湯の正確な演算ができない場合に、使用者の目論みに応じた湯量のお湯張りをすることができる。
【００２３】
【発明の実施の形態】
以下、本発明の風呂装置の一実施形態について、図１、図２を参照して説明する。
【００２４】
図１において、１は風呂装置の各装置の動作を制御する制御装置、２は給湯回路を流れる水量を検知する水量センサ、３は風呂装置の運転条件を設定および運転操作、運転表示をするリモコン、４は給湯回路から風呂循環回路への湯水の供給を制御するお湯張り弁、５は浴槽、６は循環アダプタ、７は浴槽５と風呂装置の間をつなぐ風呂循環回路を介して湯水を循環させる風呂ポンプ、８は湯水が風呂循環回路を流れていることを検知する風呂水流センサ、９は風呂循環回路を流れる湯水の温度を検知する風呂温度センサ、１０は風呂循環回路を流れる湯水を加熱する熱を発生する風呂バーナ、１１は風呂バーナ１０が発生する熱を風呂循環回路の湯水に伝える風呂熱交換器、１２は給湯出湯温度を検知する給湯出湯温度センサー、１３は給水に熱を伝える給湯熱交換器、１４は給水を加熱する熱を発生する給湯バーナである。
【００２５】
次に、上記構成の風呂装置におけるお湯張り動作について、図１と図２を参照して説明する。
【００２６】
まず、リモコン３でお湯張りの湯量をＡに、湯温をｔに設定し、リモコン３のお湯張り開始スイッチを押すと、お湯張り動作を開始する（ステップＳ１）。
【００２７】
次に、残り湯があるか否かを判定する（ステップＳ２）。すなわち、まず風呂ポンプ７を駆動し、一定時間風呂循環回路の湯水を循環させようとする。浴槽５の残り湯が循環アダプタ６の上まであると、風呂循環回路に湯水が循環し、風呂水流センサ８が検知し、残り湯があると判定する。もし、浴槽５の残り湯が循環アダプタ６よりも下の場合は、風呂循環回路に湯水が循環せず、一定時間経過しても風呂水流センサ８が検知せず、残り湯がないと判定する。
【００２８】
次に、残り湯がないと判定すると、設定湯量Ａでお湯張りを行う（ステップＳ３）。すなわち、制御装置１によってお湯張り弁４が開くと、給湯回路に水が流れ、それを水量センサ２によって検知し、給湯バーナ１４が点火し、給湯熱交換器１３で水を加熱する。加熱された湯の温度を給湯出湯温度センサ１２で検知し、設定温度ｔになるように給湯バーナ１４の発熱量を制御装置が調節する。また、水量センサ２によって検知する水量と経過時間との積を制御装置１が累積し、お湯張り湯量をカウントする。累積湯量が設定湯量Ａになると、お湯張り弁４を閉じ、お湯張りを停止する。
【００２９】
次に、設定温度ｔまで沸き上げを行う（ステップＳ４）。すなわち、風呂ポンプ７を駆動し、浴槽５のお湯を循環させ、風呂温度センサ９でお湯の温度を検知する。浴槽５のお湯の温度が設定温度ｔに達していれば、次のステップＳ５に移る。浴槽５のお湯の温度が設定温度ｔ未満であれば、風呂バーナ１０を点火させ、風呂熱交換器１１によって浴槽５のお湯を設定温度ｔまで加熱する。
【００３０】
次に、お湯張り完了の報知を行う（ステップＡ５）。すなわち、風呂ポンプ７を停止し、リモコン３の表示部およびブザー音でお湯張りが完了したことを報知する。
【００３１】
一方、ステップＳ２で、残り湯があると判定した場合には、残り湯量の演算が可能か否かを判定する（ステップＳ６）。すなわち、残り湯の温度をｔ０とすると、（ｔ−ｔ０）がα（予め決められた任意の温度差）以上あれば、残湯量の演算が可能と判断し、ステップＳ７の残湯量検知運転に移行する。一方、（ｔ−ｔ０）がα未満であれば、ステップＳ１０に移行する。
【００３２】
ステップＳ７では、浴槽５の残り湯を予め決められた出力Ｑで一定時間Ｔ０加熱し、温度上昇値Δｔを測定する。次いで、それらの値に基づいて、下記式で残湯量Ｂを算出する（ステップＳ８）。
【００３３】
Ｂ＝ｋ×Ｑ×Ｔ０／Δｔ（ｋは補正係数）
そして、設定湯量Ａと算出した残湯量Ｂの差に相当する湯量のお湯張りをし（ステップＳ９）、以下、ステップＳ４、Ｓ５の動作を行ってお湯張りを完了する。
【００３４】
浴槽５に残り湯があるが残湯量を演算できない場合には、ステップＳ１０でリモコン３の表示部に表示するとともにブザー音やランプの点滅等を任意の時間継続することによって、そのことを事前にユーザーにより確実に報知してステップＳ１１に移行する。
【００３５】
ステップＳ１１では、一定時間Ｔの間、ユーザーが運転切替できる状態で待機し、切替スイッチを押すと残湯演算機能を無効にし、別に設定湯量Ａから固定量Ｄ（仮想の残り湯量）を引いた湯量を演算してその湯量のお湯張りを行い（ステップＳ１２）、以下、ステップＳ４、Ｓ５の動作を行って完了する。これにより、残り湯の演算ができなくても、入浴可能な湯量のお湯張りができる。
【００３６】
一方、一定時間ユーザーが切替スイッチを押さなければ、固定湯量Ｃのお湯張りをし（ステップＳ１３）、以下、ステップＳ４、Ｓ５の動作を行って完了する。このように切替スイッチを設けることで、残り湯量の演算ができない場合にも使用者が事前にお湯張りの仕方を選択することができる。
【００３７】
なお、上記実施形態の説明では、残湯量を演算できない場合にリモコン３から外部に報知して固定湯量（Ａ−Ｄ）又はＣのお湯張りを行う例を示したが、それ以外に、残り湯量を演算できなかったことおよび対処の仕方をリモコンの音声ガイダンスで知らせるようにしても良く、そうすると使用者が設定湯量のお湯張りができないことをより正確に知ることができるとともに種々の対処ができる。
【００３８】
また、リモコン３等に残り湯の演算の有無を切り替えるスイッチを設けても良く、そうすると使用者が事前にお湯張りの仕方を選択することができる。
【００３９】
また、残り湯の温度と設定温度から残り湯量を正確に演算できない条件の場合に、正確に演算できないことをリモコン３で報知すると共に、リモコン３のスイッチ操作で残湯演算を無効にできる状態で待機する機能を設けても良く、そうすると残り湯の正確な演算ができない場合に、使用者の目論みに応じた湯量のお湯張りをすることができる。
【００４０】
【発明の効果】
本発明の風呂装置によれば、残り湯がどのような状態であっても、ユーザーが望むお湯張りができ、また、仮に正確なお湯張り量にならなくても事前に、そのことを報知することによって、機器の故障と誤認することを防止することができる。
【図面の簡単な説明】
【図１】本発明の一実施形態の風呂装置の構成図である。
【図２】同実施形態の風呂装置のお湯張り動作のフローチャートである。
【図３】従来例の風呂装置のお湯張り動作のフローチャートである。
【符号の説明】
１  制御装置
２  水量センサ
３  リモコン
４  お湯はり弁
５  浴槽
６  循環アダプタ
７  風呂ポンプ
８  風呂水流センサ
９  風呂温度センサ
【図１】
2004170031.tif 000003
【図２】
2004170031.tif 000004
【図３】
2004170031.tif 000005